(57)【要約】  本発明の実施例は、マルチバンドアクティブアンテナを提供する。本マルチバンドアクティブアンテナは、ブロードバンドアンテナ、コンバイナ、および、アクティブモジュールを含み、ブロードバンドアンテナの筐体フレーム上に、くぼんだ形状のウィンドウが配置されており、かつ、ブロードバンドアンテナの第１ポートがウィンドウの中に配置されている。コンバイナは取外し可能にウィンドウの中に接続されており、かつ、コンバイナの第１ポートがブロードバンドアンテナの第１ポートに接続されている。そして、ブロードバンドアンテナの筐体フレーム上に取付けキットが配置されており、かつ、アクティブモジュールが取付けキットに取外し可能に接続されており、かつ、アクティブモジュールの第１ポートがコンバイナの第２ポートに導線によって接続されている。本発明の実施例は、ブロードバンドアンテナの周波数帯展開をサポートすることができる。
2016518757.tif 000002
【特許請求の範囲】
【請求項１】
ブロードバンドアンテナ、コンバイナ、および、アクティブモジュール、を含み、
前記ブロードバンドアンテナの筐体フレーム上に、くぼんだ形状のウィンドウが配置されており、かつ、前記ブロードバンドアンテナの第１ポートが前記ウィンドウの中に配置されており、
前記コンバイナは、取外し可能に前記ウィンドウの中にプラグ接続されており、かつ、前記コンバイナの第１ポートが前記ブロードバンドアンテナの前記第１ポートに接続されており、
前記ブロードバンドアンテナの筐体フレーム上に、取付けキットが配置されており、
前記アクティブモジュールが、前記取付けキットに取外し可能に接続されており、かつ、前記アクティブモジュールの第１ポートが前記コンバイナの第２ポートに導線によって接続されている、
マルチバンドアクティブアンテナ。
【請求項２】
前記ブロードバンドアンテナのアンテナポートは、また、前記ブロードバンドアンテナの外部表面上に配置されており、
前記アクティブモジュールの前記第１ポートが、前記アンテナポートに導線によって接続され、かつ、
前記アンテナポートに接続された中間ポートが、また、前記ウィンドウに配置され、前記中間ポートは、前記コンバイナの前記第２ポートに接続されている、
請求項１に記載のマルチバンドアクティブアンテナ。
【請求項３】
前記アクティブモジュールは、第１アクティブモジュールと第２アクティブモジュールを含み、
前記第１アクティブモジュールは、前記ブロードバンドアンテナの前記筐体フレーム上に配置された第１取付けキットに取外し可能に接続されており、
前記第２アクティブモジュールは、前記ブロードバンドアンテナの前記筐体フレーム上に配置された第２取付けキットに取外し可能に接続されており、
前記第１アクティブモジュールの第１ポートが、前記コンバイナの前記第２ポートに導線によって接続され、かつ、
前記第２アクティブモジュールの第１ポートが、前記ブロードバンドアンテナの外部表面上に配置されたアンテナポートに導線によって接続され、
前記アンテナポートは、前記ウィンドウの中に配置された中間ポートに導線によって接続され、
前記中間ポートは、前記コンバイナの第３ポートに接続されている、
請求項１に記載のマルチバンドアクティブアンテナ。
【請求項４】
前記第２アクティブモジュールは、少なくとも一つのアクティブサブモジュールを含み、
前記ブロードバンドアンテナの前記筐体フレーム上に配置された前記第２取付けキットは、少なくとも一つのサブ取付けキットを含み、
前記ブロードバンドアンテナの前記外部表面上に配置された前記アンテナポートは、少なくとも一つのアンテナポートのグループを含み、
前記ウィンドウの中に配置された中間ポートは、少なくとも一つの中間ポートを含み、
前記コンバイナの前記第３ポートは、少なくとも一つの入力サブポートを含んでおり、かつ、
少なくとも一つのアクティブサブモジュールは、少なくとも一つの前記サブ取付けキット上に一対一のやり方で設置され、
前記少なくとも一つのアクティブサブモジュールの第１ポートは、前記少なくとも一つのアンテナポートのグループに一対一のやり方で導線によって接続され、
前記少なくとも一つのアンテナポートのグループは、前記少なくとも一つの中間ポートに一対一のやり方で導線によって接続され、かつ、
前記少なくとも一つの中間ポートは、前記少なくとも一つの入力サブポートに一対一のやり方で接続される、
請求項３に記載のマルチバンドアクティブアンテナ。
【請求項５】
前記第２アクティブモジュールは、第１アクティブサブモジュールと第２アクティブサブモジュールを含み、
前記第１アクティブサブモジュールは、前記ブロードバンドアンテナの前記筐体フレーム上に配置された前記第２取付けキットの第１サブ取付けキットに取外し可能に接続され、
前記第１アクティブサブモジュールの第１ポートは、前記ブロードバンドアンテナの前記外部表面上に配置されたアンテナポートの第１グループに導線によって接続されており、
前記アンテナポートの第１グループは、前記ウィンドウの中に配置された第１中間ポートに導線によって接続され、
前記第１中間ポートは、前記コンバイナの第３ポートの第１サブポートに接続されており、かつ、
前記第２アクティブサブモジュールは、前記ブロードバンドアンテナの前記筐体フレーム上に配置された前記第２取付けキットの第２サブ取付けキットに取外し可能に接続され、
前記第２アクティブサブモジュールの第１ポートは、前記ブロードバンドアンテナの前記外部表面上に配置されたアンテナポートの第２グループに導線によって接続され、
前記アンテナポートの第２グループは、前記ウィンドウの中に配置された第２中間ポートに導線によって接続され、
前記第２中間ポートは、前記コンバイナの第３ポートの第２サブポートに接続されている、
請求項３に記載のマルチバンドアクティブアンテナ。
【請求項６】
前記ウィンドウは、前記筐体フレームの中間位置に配置され、
前記第１取付けキットと前記第２サブ取付けキットは、前記筐体フレームの上半分に別々に配置され、かつ、
前記第１サブ取付けキットは、前記筐体フレームの下半分に配置されている、
請求項５に記載のマルチバンドアクティブアンテナ。
【請求項７】
前記マルチバンドアクティブアンテナは、さらに、第３アクティブモジュールを含み、
前記第３アクティブモジュールの第１ポートは、前記コンバイナの第４ポートに導線によって接続されている、
請求項３に記載のマルチバンドアクティブアンテナ。
【請求項８】
前記ウィンドウは、前記筐体フレームの中間位置に配置され、
前記第１取付けキットは、前記筐体フレームの上半分に配置され、かつ、
前記第２取付けキットは、前記筐体フレームの下半分に配置されている、
請求項７に記載のマルチバンドアクティブアンテナ。
【請求項９】
前記コンバイナの前記第１ポートは、特に、ブラインドメイト接続モードにおいて、前記ブロードバンドアンテナの前記第２ポートに接続されているか、または、
前記コンバイナの前記第１ポートは、特に、前記ブロードバンドアンテナの前記第１ポートに導線によって接続されている、
請求項１乃至８いずれか一項に記載のマルチバンドアクティブアンテナ。
【請求項１０】
前記中間ポートは、特に、ブラインドメイト接続モードにおいて、前記コンバイナの第３ポートに接続されているか、または、
前記中間ポートは、特に、前記コンバイナの前記第３ポートに導線によって接続されている、
請求項３乃至９いずれか一項に記載のマルチバンドアクティブアンテナ。
【発明の詳細な説明】
【技術分野】
【０００１】
本発明は、モバイル通信の分野に関する。より特定的には、マルチバンドアクティブアンテナに関する。
【背景技術】
【０００２】
モバイル通信の発達に伴い、基地局サブシステムにおいて複数の周波数が共存するアプリケーションシナリオがより多く存在している。周波数帯の増加につれて、サイトにおけるラジオ周波数（ｒａｄｉｏ  ｆｒｅｑｕｅｎｃｙ）モジュールの数量とアンテナの数量も、また、徐々に増加している。結果として、サイトがより混雑し、そして、サイトの開発と設置がより難しくなっている。現在のところ、装置ベンダ（ｖｅｎｄｏｒ）とオペレータは、ブロードバンドアンテナ、外部コンバイナ（ｃｏｍｂｉｎｅｒ）、および外部アクティブモジュールを結合するスキームを主に使用する。ここでは、複数の周波数帯によるアンテナシステムの共有を実施するために、コンバイナは導線によって外部アクティブモジュールに接続されている。このスキームにおいては、アンテナ全体を形成するユニット部品が分散され、サイト設置に大きなスペースを要するので、サイト設置の実行を難しいものとしている。
【発明の概要】
【発明が解決しようとする課題】
【０００３】
この視点において、本発明の実施例は、マルチバンドアンテナを提供する。マルチバンドアンテナは、サイト設置スペースを削減し、かつ、サイト設置を促進することができる。
【課題を解決するための手段】
【０００４】
第１の態様は、マルチバンドアクティブアンテナを提供する。本マルチバンドアクティブアンテナは、ブロードバンドアンテナ、コンバイナ、および、アクティブモジュールを含み、ブロードバンドアンテナの筐体フレーム上に、くぼんだ形状のウィンドウが配置されており、ブロードバンドアンテナの第１ポートがウィンドウの中に配置されており、かつ、コンバイナは取外し可能にウィンドウの中に接続されている。そして、コンバイナの第１ポートがブロードバンドアンテナの第１ポートに接続されており、かつ、ブロードバンドアンテナの筐体フレーム上に、取付けキットが配置されており、アクティブモジュールが取付けキットに取外し可能に接続されており、かつ、アクティブモジュールの第１ポートがコンバイナの第２ポートに導線によって接続されている。
【０００５】
第１の態様の第１の可能な実施方法において、ブロードバンドアンテナのアンテナポートは、また、ブロードバンドアンテナの外部表面上に配置されており、アクティブモジュールの第１ポートがアンテナポートに導線によって接続され、かつ、アンテナポートに接続された中間ポートが、また、ウィンドウに配置され、中間ポートはコンバイナの第２ポートに接続されている。
【０００６】
第１の態様の第２の可能な実施方法において、アクティブモジュールは第１アクティブモジュールと第２アクティブモジュールを含み、第１アクティブモジュールはブロードバンドアンテナの筐体フレーム上に配置された第１取付けキットに取外し可能に接続されており、第２アクティブモジュールはブロードバンドアンテナの筐体フレーム上に配置された第２取付けキットに取外し可能に接続されており、かつ、第１アクティブモジュールの第１ポートがコンバイナの第２ポートに導線によって接続されている。そして、第２アクティブモジュールの第１ポートがブロードバンドアンテナの外部表面上に配置されたアンテナポートに導線によって接続され、アンテナポートはウィンドウの中に配置された中間ポートに導線によって接続され、中間ポートはコンバイナの第３ポートに接続されている。
【０００７】
上記の技術的ソリューションにおいては、コンバイナがブロードバンドアンテナのウィンドウに取外し可能に接続され、かつ、アクティブモジュールがブロードバンドアンテナの取付けキットに取外し可能に接続されているので、マルチバンドアクティブアンテナ全体のコンポーネントが一つに統合される。それによって、占有されるサイト設置スペースを削減し、かつ、サイト設置を促進している。
【図面の簡単な説明】
【０００８】
本発明の実施例における又は従来技術における技術的ソリューションをより明確に説明するために、以降には、実施例または従来技術を説明するのに必要な添付の図面を簡単に紹介する。明らかに、以降の説明における添付の図面は、本発明のいくつかの実施例を単に示すものであり、当業者であれば、創造的な努力をすることなく、これらの添付図面から他の図面でさえ引き出すことができる。
【図１】図１は、本発明の一つの実施例に従った、マルチバンドアクティブアンテナの模式的な構造的ダイヤグラムである。
【図２】図２は、本発明の一つの実施例に従った、第２のマルチバンドアクティブアンテナの模式的な構造的ダイヤグラムである。
【図３】図３は、本発明の一つの実施例に従った、第３のマルチバンドアクティブアンテナの模式的な構造的ダイヤグラムである。
【図４】図４は、本発明の一つの実施例に従った、第４のマルチバンドアクティブアンテナの模式的な構造的ダイヤグラムである。
【図５】図５は、本発明の一つの実施例に従った、第５のマルチバンドアクティブアンテナの模式的な構造的ダイヤグラムである。
【発明を実施するための形態】
【０００９】
以降に、本発明の実施例において添付の図面に関して、本発明の実施例における技術的ソリューションを明確かつ完全に説明する。明らかに、説明される実施例は、本発明の実施例の全てではなく、むしろ単なる一部分である。創造的な努力をすることなく本発明の実施例に基づいて当業者が獲得した全ての他の実施は、本発明の範囲内にあるものである。
【００１０】
図１は、本発明の一つの実施例に従った、マルチバンドアクティブアンテナの模式的な構造的ダイヤグラムである。図１に示されるように、マルチバンドアクティブアンテナは、ブロードバンドアンテナ１１、コンバイナ１２、および、アクティブモジュール１３を含んでいる。
ここでは、くぼんだ形状（ｃｏｎｃａｖｅ）のウィンドウがブロードバンドアンテナ１１の筐体フレーム上に配置されており、ブロードバンドアンテナ１１の第１ポートがウィンドウの中に配置されている。コンバイナ１２は、取外し可能にウィンドウに接続されており、コンバイナ１１の第１ポートがブロードバンドアンテナ１１の第１ポートに接続されている。そして、取付けキットがブロードバンドアンテナ１１の筐体フレーム上に配置されており、アクティブモジュールが取付けキットに取外し可能に接続されており、かつ、アクティブモジュール１３の第１ポート１３１がコンバイナ１２の第２ポート１２１に導線によって接続されている。
【００１１】
上記のポート、例えば、ブロードバンドアンテナ１１の第１ポート、アクティブモジュール１３２の第１ポート、および、コンバイナ１１の第２ポートは、双方向性ポートであることに留意すべきである。このことは、これらのポートが、信号を送信するように構成され、かつ、信号を受信するようにも構成され得ることを意味している。
【００１２】
任意の実施方法として、アクティブモジュール１３は、単一のアクティブモジュールまたは複数のアクティブモジュールであってよい。アクティブモジュール１３が複数のアクティブモジュールである場合、ダウンリンク信号について、アクティブモジュール１３は、複数の周波数帯を増幅し、そして、複数の周波数帯の増幅された信号をコンバイナ１２に送信する。そして、コンバイナ１２は複数の帯域の信号を合成して、合成された信号をブロードバンドアンテナ１１に送信する。アップリンク信号について、ブロードバンドアンテナ１１は、ユーザ側から複数の周波数帯の信号を受信して、複数の周波数帯の信号をコンバイナ１２に送信する。そして、コンバイナ１２は、信号を分離して、分離された信号をアクティブモジュール１３に送信する。このようにして、複数の周波数帯によるアンテナシステムの共有が実施される。
【００１３】
任意的に、本発明のこの実施例において、コンバイナ１２は、ブロードバンドアンテナ１１上に配置されたウィンドウに取外し可能に接続されており、アクティブモジュール１３は、ブロードバンドアンテナ１１の取付けキットに取外し可能に接続されている。このようにして、マルチバンド（ｍｕｌｔｉ−ｂａｎｄ）アクティブアンテナ全体のコンポーネントが統合される。つまり、ブロードバンドアンテナ１１の中に統合されて、マルチバンドアンテナのサイズが非常に小さくなり、そして、サイト（例えば、基地局）におけるボックスの数量も、また、非常に小さくなる。それによって、サイト設置スペースを削減し、かつ、サイト設置を促進している。
【００１４】
任意的には、コンバイナ１２とアクティブモジュール１３の両方がブロードバンドアンテナ１１に取外し可能に接続されているので、アンテナの周波数帯の発展がサポートされ得る。従って、ブロードバンドアンテナ１１が周波数帯の発展を受ける場合、例えば、ブロードバンドアンテナ１１がシングルバンド（ｓｉｎｇｌｅ−ｂａｎｄ）アクティブアンテナからデュアルバンド（ｄｕａｌ−ｂａｎｄ）アクティブアンテナへ発展する場合には、コンバイナ１２だけが置き換えられる必要がある。例えば、ダイレクトスルー接続のコンバイナ１２が２イン１（２ｉｎ１）のコンバイナ１２へ変更される。そして、一方で、一つのアクティブモジュール１３が、ブロードバンドアンテナ１１の筐体フレーム上に設置されたオリジナルのアクティブモジュール１３をベースにして、追加される必要がある。このようにして、シングルバンドアクティブアンテナが、デュアルバンドアクティブアンテナへと発展され得る。ダイレクトスルー接続のコンバイナ１２から変更された２イン１コンバイナ１２は、外見において、ダイレクトスルー接続のコンバイナ１２と同一であり得る。同様に、デュアルバンドアンテナが３バンドアクティブアンテナへと発展され得るし、３バンドアクティブアンテナがマルチバンドアクティブアンテナへと発展され得る。
【００１５】
任意的に、複数の取付けキットは、ブロードバンドアンテナ１１の筐体フレーム上に事前に配置されている。このようにして、アクティブモジュール１３が追加され得る。
【００１６】
任意的には、コンバイナ１２がブロードバンドアンテナ２１のウィンドウに取外し可能に接続されており、かつ、アクティブモジュール１３がブロードバンドアンテナ１１の取付けキットに取外し可能に接続されているので、コンバイナ１２とアクティブモジュール１３は、独立的にメンテナンスされ得る。つまり、コンバイナ１２またはアクティブモジュール１３はメンテナンスのために独立して取外すことができ、サイトのメンテナンス工程におけるコストを低減し得る。
【００１７】
一つの任意的な実施方法として、ブロードバンドアンテナ１１のアンテナポートは、また、ブロードバンドアンテナ１１の外部表面上に配置される。アクティブモジュール１３の第１ポート１３１が導線によってアンテナポートに接続され、そして、アンテナポートに接続された中間ポートが、また、ウィンドウに配置される。ここで、中間ポートは、コンバイナ１２の第２ポート１２１に接続されている。
【００１８】
任意的に、アンテナポートは、ブロードバンドアンテナ１１の下端または上端に配置されてよい。
【００１９】
この実施方法において、アクティブモジュール１３の第１ポート１３１は、ブロードバンドアンテナ１１のアンテナポートによってコンバイナの第２ポートに接続されている。
【００２０】
上記のソリューションにおいては、コンバイナがブロードバンドアンテナのウィンドウに取外し可能に接続されており、かつ、アクティブモジュールがブロードバンドアンテナの取付けキットに取外し可能に接続されているので、マルチバンドアクティブアンテナ全体のコンポーネントがブロードバンドアンテナへと統合されて、占有されるサイト設置スペースを削減し、かつ、サイト設置を促進し得る。
【００２１】
図２は、本発明の一つの実施例に従った、第２のマルチバンドアクティブアンテナの模式的な構造的ダイヤグラムである。図２に示されるように、マルチバンドアクティブアンテナは、ブロードバンドアンテナ２１、コンバイナ２２、第１アクティブモジュール２３、および、第２アクティブモジュール２４を含んでいる。
ここでは、くぼんだ形状のウィンドウがブロードバンドアンテナ２１の筐体フレーム上に配置されており、ブロードバンドアンテナ２１の第１ポートがウィンドウの中に配置されている。コンバイナ２２は、取外し可能にウィンドウに接続されており、コンバイナ２２の第１ポートがブロードバンドアンテナ２１の第１ポートに接続されている。第１取付けキットと第２取付けキットがブロードバンドアンテナ２１の筐体フレーム上に配置されており、アンテナポート２１１がブロードバンドアンテナ２１の外部表面上に配置されている。そして、中間ポートがブロードバンドアンテナ２１のウィンドウの中に配置されている。第１アクティブモジュール２３が第１取付けキットに取外し可能に接続されており、かつ、第２アクティブモジュール２４が第２取付けキットに取外し可能に接続されている。そして、第１アクティブモジュール２３の第１ポート２３１がコンバイナ２２の第２ポート２２１に接続され、かつ、第２アクティブモジュール２４の第１ポート２４１がアンテナポート２１１に導線によって接続されている。ここで、アンテナポート２１１は中間ポートに導線によって接続されており、ここで、中間ポートはコンバイナ２２の第３ポートに接続されている。
【００２２】
任意的に、第１アクティブモジュール２３、第２アクティブモジュール２４、および、コンバイナ２２は、ブロードバンドアンテナ２１上に全て設置される。このようにして、第１アクティブモジュール２３とコンバイナ２２を接続している導線は非常に短く、かつ、第２アクティブモジュール２４とアンテナポート２２を接続している導線も、また、非常に短い。それによって、導線による電力消費を低減している。
【００２３】
任意的に、第１取付けキットと第２取付けキットは、ブロードバンドアンテナ２１の筐体フレームの後側上に配置されてよく、ここで、筐体フレームの後側はウィンドウが配置されている側のことである。そして、第２ポート２２１がコンバイナ２２の前側上に配置される。ここで、コンバイナ２２の前側は、コンバイナ２２がウィンドウに接続されるときに、ウィンドウの開口に配置されているコンバイナ２２の側のことである。このようにして、第１取付けキットに接続された第１アクティブモジュール２３の第１ポート２３１は、コンバイナ２２の第２ポート２２１に容易に接続される。アンテナポート２１１は、ブロードバンドアンテナの後側（例えば、後側の底面）の上に配置され得る。このようにして、第２取付けキットに接続された第２アクティブモジュール２４の第１ポート２４１は、アンテナポート２１１に容易に接続され得る。ここで、アンテナポート２１１は、ブロードバンドアンテナの内側において中間ポートに導線によって接続され得る。コンバイナ２２の第３ポートと第１ポートは、コンバイナ２２の後側上に配置されてよく、ここで、コンバイナ２２の後側はコンバイナ２２の前側と反対の側である。ブロードバンドアンテナ２１の第１ポートは、ウィンドウの内側にあって、かつ、コンバイナ２２の第１ポートと一致する位置に配置されてよい。つまり、コンバイナ２２がウィンドウに接続されるときに、ブロードバンドアンテナ２１の入力ポートは、コンバイナ２２の第１ポートに接続されている位置に置かれている。このようにして、コンバイナ２２がウィンドウに接続されるときに、コンバイナ２２の第１ポートは、ブロードバンドアンテナ２１の第１ポートに接続される。ブロードバンドアンテナ２１の中間ポートは、ウィンドウの内側にあって、かつ、コンバイナ２２の第３ポートと一致する位置に配置されてよい。つまり、コンバイナ２２がウィンドウに接続されるときに、ブロードバンドアンテナ２１の中間ポートは、コンバイナ２２の第３ポートに接続されている位置に置かれている。このようにして、コンバイナ２２がウィンドウに接続されるときに、コンバイナ２２の第３ポートは、ブロードバンドアンテナ２１の中間ポートに接続される。
【００２４】
任意的な実施方法において、第１アクティブモジュール２３は複数のアクティブモジュールであってよく、第１取付けキットは複数の取付けキットであってよく、かつ、コンバイナ２２の第２ポート２２１は複数のポートであってよい。第２アクティブモジュール２４は複数のアクティブモジュールであってよく、第２取付けキットは複数の取付けキットであってよく、かつ、アンテナポート２１１はアンテナポートの複数のグループあってよく、中間ポートは複数の中間ポートであってよく、かつ、コンバイナ２２の第３ポートは複数のポートであってよい。上記の「第１（”ｆｉｒｓｔ”）」と「第２（”ｓｅｃｏｎｄ”）」は、第１タイプと第２タイプとして理解されてよい。例えば、第１アクティブモジュール２３は第１タイプのアクティブモジュールとして理解されてよく、そして、第２アクティブモジュール２４は第２タイプのアクティブモジュールとして理解されてよい。同様に、第２ポートは第１タイプのポートであってよく、そして、第３ポートは第２タイプのポートであってよい。
【００２５】
任意的に、第１アクティブモジュール２３と第２アクティブモジュール２４の両方が一つのアクティブモジュールである場合、デュアル周波数帯によるアンテナの共有が実施される。
【００２６】
説明の利便のために、本発明のこの実施例において、第１アクティブモジュール２３の中に含まれる複数のアクティブモジュールと第２アクティブモジュール２４の中に含まれる複数のアクティブモジュールは、アクティブサブモジュールとして定められる。第２ポートと第３ポートに含まれる複数の入力ポートは、サブポートとして定められ、そして、第１取付けキットと第２取付けキットに含まれる複数の取付けキットは、サブ取付けキットとして定められてよい。
【００２７】
任意的に、第２アクティブモジュールは、少なくとも一つのアクティブサブモジュールを含んでいる。ブロードバンドアンテナ２１の筐体フレーム上に配置された第２取付けキットは、少なくとも一つのサブ取付けキットを含んでいる。ブロードバンドアンテナ２１の外部表面上に配置されたアンテナポート２１１は、少なくとも一つのアンテナポートのグループを含んでいる。ウィンドウの中に配置された中間ポートは、少なくとも一つの中間ポートを含んでいる。そして、コンバイナ２２の第３ポートは、少なくとも一つの入力サブポートを含んでいる。
【００２８】
任意的に、少なくとも一つのアクティブサブモジュールは、少なくとも一つのサブ取付けキット上に一対一（ｏｎｅ−ｔｏ−ｏｎｅ）のやり方で設置される。少なくとも一つのアクティブサブモジュールの第１ポートは、少なくとも一つのアンテナポートのグループに一対一のやり方で導線によって接続される。少なくとも一つのアンテナポートのグループは、少なくとも一つの中間ポートに一対一のやり方で導線によって接続される。少なくとも一つの中間ポートは、少なくとも一つの入力サブポートに一対一のやり方で接続される。
【００２９】
一つの任意的な実施方法において、図３に示されるように、第２アクティブモジュールは、第１アクティブサブモジュール２４１と第２アクティブサブモジュール２４２を含んでよい。ここで、
第１アクティブサブモジュール２４１は、ブロードバンドアンテナ２１の筐体フレーム上に配置された第２取付けキットの第１サブ取付けキットに取外し可能に接続されている。第１アクティブサブモジュール２４１の第１ポート２４１１は、ブロードバンドアンテナ２１の外部表面上に配置されたアンテナポートの第１グループに導線によって接続されている。ここで、アンテナポートの第１グループ２１１１は、ウィンドウの中に配置された第１中間ポートに導線によって接続されており、ここで、第１中間ポートは、コンバイナ２２の第３ポートの第１サブポートに接続されている。そして、
第２アクティブサブモジュール２４２は、ブロードバンドアンテナ２１の筐体フレーム上に配置された第２取付けキットの第２サブ取付けキットに取外し可能に接続されている。第２アクティブサブモジュール２４２の第１ポート２４２１は、ブロードバンドアンテナ２１の外部表面上に配置されたアンテナポート２１１２の第２グループに導線によって接続されている。ここで、アンテナポートの第２グループは、ウィンドウの中に配置された第２中間ポートに導線によって接続されており、ここで、第２中間ポートは、コンバイナ２２の第３ポートの第２サブポートに接続されている。
【００３０】
任意的に、図３に示されるように、ウィンドウがブロードバンドアンテナ２１の筐体の後側の中間位置に配置されており、そして、第１取付けキットが筐体フレームの後側の上半分の低位置に配置されてよい。このようにして、第１取付けキットに接続された第１アクティブモジュール２３の第１ポート２３１が、コンバイナ２２の第２ポート２２１に容易に接続される。第１サブ取付けキットが、筐体フレームの後側の下半分に配置されてよく、そして、アンテナポート２１１１の第１グループが、筐体フレームの後側の底部に配置されてよい。このようにして、第１サブ取付けキットに接続された第１アクティブサブモジュール２４１の第１ポート２４１１が、アンテナポート２１１１の第１グループに容易に接続される。第２サブ取付けキットが、筐体フレームの後側の上半分の高位置に配置されてよく、そして、アンテナポート２１１２の第２グループが、筐体フレームの後側の上端に配置されてよい。このようにして、第２サブ取付けキットに接続された第２アクティブサブモジュール２４２の第１ポート２４２１が、アンテナポート２１１２の第２グループに容易に接続される。
【００３１】
この実施方法においては、３つの周波数帯によるアンテナシステムの共有が実施される。
【００３２】
任意的な実施方法として、図４に示されるように、マルチバンドアクティブモジュールは、さらに、第３アクティブモジュール２５を含んでよい。ここで、第３アクティブモジュール２５は、コンバイナ２２の第２ポート２２２に導線によって接続されている。
【００３３】
任意的に、この実施方法は、ブロードバンドアンテナの筐体フレームが複数のアクティブモジュールを設置するためには不十分なスペースを有している場合のシナリオに適用することができる。アクティブモジュールが、例えば、第３アクティブモジュール２５の外部に配置され得るようにである。サイトが展開され、かつ、設置される場合に、第２アクティブモジュール２５は、マルチバンドアクティブアンテナを設置するために使用される構造に留められてよい。
【００３４】
任意的に、第１アクティブモジュール２３および第２アクティブモジュール２４のように、複数の第３アクティブモジュール２５が存在してよい。
【００３５】
任意的に、図４に示されるように、ウィンドウがブロードバンドアンテナ２１の筐体の後側の中間位置に配置されてよい。第１取付けキットが筐体フレームの後側の上半分に配置されてよく、そして、コンバイナ２２の第２ポート２２１がコンバイナの前側の上半分に配置されてよい。このようにして、第１取付けキットに接続された第１アクティブモジュール２３の第１ポート２３１が、コンバイナ２２の第２ポート２１１に容易に接続される。第２サブ取付けキットが、筐体フレームの後側の下半分に配置されてよく、そして、アンテナポート２１１が、筐体フレームの後側の底部に配置されてよい。このようにして、第２サブ取付けキットに接続された第２アクティブサブモジュール２４の第１ポート２４１が、アンテナポート２１１に容易に接続される。コンバイナ２２の第４ポート２２は、コンバイナの前側の下半分に配置されてよい。このようにして、第３アクティブモジュール２５の第１ポート２５１が、コンバイナ２２の第４ポート２２２に容易に接続される。
【００３６】
この実施方法においては、３つの周波数帯によるアンテナシステムの共有が実施される。
【００３７】
任意的な実施方法として、ブロードバンドアンテナ２１は、以下のうちあらゆる一つを含んでよい。デュアルアレイ高周波アンテナ、シングルアレイ高周波アンテナ、シングルアレイ低周波アンテナ、および、マルチアレイアンテナ、である。
【００３８】
任意的に、上記のポートは、コンバイナ２２の第１ポートと第２ポート、および、ブロードバンドアンテナ２１のアンテナポートと中間ポートを含んでいる。これらのポートのインターフェイスの数量は、ブロードバンドアンテナの第１ポートのインターフェイスの数量と同一である。図２、図３、および図４に示されるように、ブロードバンド２１は、全てが、デュアルアレイ高周波アンテナである。このように、これらのポートのインターフェイスの数量は、全て４である。
【００３９】
ブロードバンドアンテナ２１がシングルアレイ高周波アンテナである場合に、シングルアレイ高周波アンテナの第１ポートのインターフェイスの数量は２である。図５に示されるように、これらのポートのインターフェイスの数量は２である。コンバイナ２２の第２ポート２１１のインターフェイスの数量は２であり、ブロードバンドアンテナ２１のアンテナポート２１１のインターフェイスの数量は２であり、第１アクティブモジュール２３の第１ポート２３１２のインターフェイスの数量は２であり、そして、第２アクティブモジュール２４の第１ポート２４１のインターフェイスの数量は２である。確実に、中間ポート、コンバイナ２２の第３ポート、および、コンバイナ２２の第１ポートのインターフェイスの数量は、全て２である。同様に、ブロードバンドアンテナ２２がシングルアレイ低周波アンテナまたはマルチアレイアンテナである場合に、これらのポートのインターフェイスの数量を得ることができる。ここにおいては、さらに詳しく説明されない。
【００４０】
任意的な実施方法において、コンバイナ２２の第１ポートは、ブラインドメイト（ｂｌａｉｎｄ−ｍａｔｅ）接続モードにおいて、ブロードバンドアンテナ２１の入力ポートに接続されている。
【００４１】
任意的に、ブロードバンドアンテナ２１がデュアルアレイ高周波アンテナである場合、コンバイナ２２の第１ポートとブロードバンドアンテナ２１の第１ポートの両方は、４つのインターフェイスを有する。そして、コンバイナ２２の第１ポートとブロードバンドアンテナ２１の第１ポートが配置されている位置は、既に上記に説明したものである。つまり、コンバイナ２２の第１ポートはコンバイナ２２の後側に配置されてよく、かつ、ブロードバンドアンテナ２１の第１ポートは、ウィンドウの中で、かつ、コンバイナ２２の第１ポートと一致する位値に配置されてよい。一方で、コンバイナ２２の第１ポートは、ブラインドメイト接続モードにおいて、ブロードバンドアンテナ２１の第１ポートに接続されている。このように、コンバイナ２２がウィンドウの中にインサートされている限り、コンバイナ２２の第１ポートはブロードバンドアンテナ２１の第１ポートに接続されている。
【００４２】
任意的な実施方法として、コンバイナ２２の第１ポートは、ブロードバンドアンテナ２１の第１ポートにケーブル（ｃａｂｌｅ）によって接続されている。または、コンバイナ２２の第１ポートは、ブロードバンドアンテナ２１の第１ポートに導線によって接続されている。
【００４３】
任意的な実施方法として、ブロードバンドアンテナ２１の中間ポートは、ブラインドメイト接続モードにおいて、コンバイナ２２の第３ポートに接続されている。
【００４４】
任意的に、ブロードバンドアンテナ２１がデュアルアレイ高周波アンテナである場合、コンバイナ２２の第３ポートとブロードバンドアンテナ２１の入力ポートの両方は、４つのインターフェイスを有する。そして、コンバイナ２２の第３ポートとブロードバンドアンテナ２１の中間ポートが配置されている位置は、既に上記に説明したものである。つまり、コンバイナ２２の第３ポートはコンバイナ２２の後側に配置されてよく、かつ、ブロードバンドアンテナ２１の中間ポートは、ウィンドウの中で、かつ、コンバイナ２２の第３ポートと一致する位値に配置されてよい。一方で、ブロードバンドアンテナ２１の中間１ポートは、ブラインドメイト接続モードにおいて、コンバイナ２２の第３ポートに接続されている。このように、コンバイナ２２がウィンドウの中にインサートされている限り、コンバイナ２２の第３ポートはブロードバンドアンテナ２１の中間ポートに接続されている。
【００４５】
任意的な実施方法として、コンバイナ２２の中間ポートは、コンバイナ２２の第３ポートに導線によって接続されている。
【００４６】
本発明の実施例において説明された全てのポートは、双方向性ポートであることに留意すべきである。つまり、これらのポートは、データを受信するように構成され、かつ、データを送信するようにも構成され得る。
【００４７】
上記の技術的ソリューションにおいては、上記の実施例に基づいて、マルチバンドアクティブアンテナの複数の実施方法が詳しく説明されてきた。実施例は、占有されるサイト設置スペースを削減し、かつ、サイト設置を促進することができる。
【００４８】
上記の説明は、本発明の単なる典型的な実施例であり、本発明を限定することを意図するものではない。本発明の請求項に従って行われたあらゆる均等な変形は、なお、本発明の特許請求の範囲内にあるべきものである。
【図１】
2016518757.tif 000003
【図２】
2016518757.tif 000004
【図３】
2016518757.tif 000005
【図４】
2016518757.tif 000006
【図５】
2016518757.tif 000007
【手続補正書】
【提出日】平成27年11月5日(2015.11.5)
【手続補正１】
【補正対象書類名】特許請求の範囲
【補正対象項目名】全文
【補正方法】変更
【補正の内容】
【特許請求の範囲】
【請求項１】
ブロードバンドアンテナ、コンバイナ、および、アクティブモジュール、を含み、
前記ブロードバンドアンテナの筐体フレーム上に、くぼんだ形状のウィンドウが配置されており、かつ、前記ブロードバンドアンテナの第１ポートが前記ウィンドウの中に配置されており、
前記コンバイナは、取外し可能に前記ウィンドウの中に接続されており、かつ、前記コンバイナの第１ポートが前記ブロードバンドアンテナの前記第１ポートに接続されており、
前記ブロードバンドアンテナの筐体フレーム上に、取付けキットが配置されており、
前記アクティブモジュールが、前記取付けキットに取外し可能に接続されており、かつ、前記アクティブモジュールの第１ポートが前記コンバイナの第２ポートに導線によって接続されている、
マルチバンドアクティブアンテナ。
【請求項２】
前記ブロードバンドアンテナのアンテナポートは、前記ブロードバンドアンテナの外部表面上に配置されており、
前記アクティブモジュールの前記第１ポートが、前記アンテナポートに導線によって接続され、かつ、
前記アンテナポートに接続された中間ポートが、前記ウィンドウに配置され、前記中間ポートは、前記コンバイナの前記第２ポートに接続されている、
請求項１に記載のマルチバンドアクティブアンテナ。
【請求項３】
前記アクティブモジュールは、第１アクティブモジュールと第２アクティブモジュールを含み、
前記第１アクティブモジュールは、前記ブロードバンドアンテナの前記筐体フレーム上に配置された第１取付けキットに取外し可能に接続されており、
前記第２アクティブモジュールは、前記ブロードバンドアンテナの前記筐体フレーム上に配置された第２取付けキットに取外し可能に接続されており、
前記第１アクティブモジュールの第１ポートが、前記コンバイナの前記第２ポートに導線によって接続され、かつ、
前記第２アクティブモジュールの第１ポートが、前記ブロードバンドアンテナの外部表面上に配置されたアンテナポートに導線によって接続され、
前記アンテナポートは、前記ウィンドウの中に配置された中間ポートに導線によって接続され、
前記中間ポートは、前記コンバイナの第３ポートに接続されている、
請求項１に記載のマルチバンドアクティブアンテナ。
【請求項４】
前記第２アクティブモジュールは、少なくとも一つのアクティブサブモジュールを含み、
前記ブロードバンドアンテナの前記筐体フレーム上に配置された前記第２取付けキットは、少なくとも一つのサブ取付けキットを含み、
前記ブロードバンドアンテナの前記外部表面上に配置された前記アンテナポートは、少なくとも一つのアンテナポートのグループを含み、
前記ウィンドウの中に配置された中間ポートは、少なくとも一つの中間ポートを含み、
前記コンバイナの前記第３ポートは、少なくとも一つの入力サブポートを含んでおり、かつ、
少なくとも一つのアクティブサブモジュールは、少なくとも一つの前記サブ取付けキット上に一対一のやり方で設置され、
前記少なくとも一つのアクティブサブモジュールの第１ポートは、前記少なくとも一つのアンテナポートのグループに一対一のやり方で導線によって接続され、
前記少なくとも一つのアンテナポートのグループは、前記少なくとも一つの中間ポートに一対一のやり方で導線によって接続され、かつ、
前記少なくとも一つの中間ポートは、前記少なくとも一つの入力サブポートに一対一のやり方で接続される、
請求項３に記載のマルチバンドアクティブアンテナ。
【請求項５】
前記第２アクティブモジュールは、第１アクティブサブモジュールと第２アクティブサブモジュールを含み、
前記第１アクティブサブモジュールは、前記ブロードバンドアンテナの前記筐体フレーム上に配置された前記第２取付けキットの第１サブ取付けキットに取外し可能に接続され、
前記第１アクティブサブモジュールの第１ポートは、前記ブロードバンドアンテナの前記外部表面上に配置されたアンテナポートの第１グループに導線によって接続されており、
前記アンテナポートの第１グループは、前記ウィンドウの中に配置された第１中間ポートに導線によって接続され、
前記第１中間ポートは、前記コンバイナの第３ポートの第１サブポートに接続されており、かつ、
前記第２アクティブサブモジュールは、前記ブロードバンドアンテナの前記筐体フレーム上に配置された前記第２取付けキットの第２サブ取付けキットに取外し可能に接続され、
前記第２アクティブサブモジュールの第１ポートは、前記ブロードバンドアンテナの前記外部表面上に配置されたアンテナポートの第２グループに導線によって接続され、
前記アンテナポートの第２グループは、前記ウィンドウの中に配置された第２中間ポートに導線によって接続され、
前記第２中間ポートは、前記コンバイナの第３ポートの第２サブポートに接続されている、
請求項３に記載のマルチバンドアクティブアンテナ。
【請求項６】
前記ウィンドウは、前記筐体フレームの中間位置に配置され、
前記第１取付けキットと前記第２サブ取付けキットは、前記筐体フレームの上半分に別々に配置され、かつ、
前記第１サブ取付けキットは、前記筐体フレームの下半分に配置されている、
請求項５に記載のマルチバンドアクティブアンテナ。
【請求項７】
前記マルチバンドアクティブアンテナは、さらに、第３アクティブモジュールを含み、
前記第３アクティブモジュールの第１ポートは、前記コンバイナの第４ポートに導線によって接続されている、
請求項３に記載のマルチバンドアクティブアンテナ。
【請求項８】
前記ウィンドウは、前記筐体フレームの中間位置に配置され、
前記第１取付けキットは、前記筐体フレームの上半分に配置され、かつ、
前記第２取付けキットは、前記筐体フレームの下半分に配置されている、
請求項７に記載のマルチバンドアクティブアンテナ。
【請求項９】
前記コンバイナの前記第１ポートは、ブラインドメイト接続モードにおいて、前記ブロードバンドアンテナの前記第２ポートに接続されているか、または、
前記コンバイナの前記第１ポートは、前記ブロードバンドアンテナの前記第１ポートに導線によって接続されている、
請求項１乃至８いずれか一項に記載のマルチバンドアクティブアンテナ。
【請求項１０】
前記中間ポートは、ブラインドメイト接続モードにおいて、前記コンバイナの第３ポートに接続されているか、または、
前記中間ポートは、前記コンバイナの前記第３ポートに導線によって接続されている、
請求項３乃至９いずれか一項に記載のマルチバンドアクティブアンテナ。
【手続補正２】
【補正対象書類名】明細書
【補正対象項目名】０００８
【補正方法】変更
【補正の内容】
【０００８】
本発明の実施例における技術的ソリューションをより明確に説明するために、以降には、実施例を説明するのに必要な添付の図面を簡単に紹介する。明らかに、以降の説明における添付の図面は、本発明のいくつかの実施例を単に示すものであり、当業者であれば、創造的な努力をすることなく、これらの添付図面から他の図面でさえ引き出すことができる。
【図１】図１は、本発明の一つの実施例に従った、マルチバンドアクティブアンテナの模式的な構造的ダイヤグラムである。
【図２】図２は、本発明の一つの実施例に従った、別のマルチバンドアクティブアンテナの模式的な構造的ダイヤグラムである。
【図３】図３は、本発明の一つの実施例に従った、別のマルチバンドアクティブアンテナの模式的な構造的ダイヤグラムである。
【図４】図４は、本発明の一つの実施例に従った、別のマルチバンドアクティブアンテナの模式的な構造的ダイヤグラムである。
【図５】図５は、本発明の一つの実施例に従った、別のマルチバンドアクティブアンテナの模式的な構造的ダイヤグラムである。
【手続補正３】
【補正対象書類名】明細書
【補正対象項目名】００１１
【補正方法】変更
【補正の内容】
【００１１】
上記のポート、例えば、ブロードバンドアンテナ１１の第１ポート、アクティブモジュール１３の第１ポート、および、コンバイナ１２の第２ポートは、双方向性ポートであることに留意すべきである。このことは、これらのポートが、信号を送信するように構成され、かつ、信号を受信するようにも構成され得ることを意味している。
【手続補正４】
【補正対象書類名】明細書
【補正対象項目名】００１６
【補正方法】変更
【補正の内容】
【００１６】
任意的には、コンバイナ１２がブロードバンドアンテナ１１のウィンドウに取外し可能に接続されており、かつ、アクティブモジュール１３がブロードバンドアンテナ１１の取付けキットに取外し可能に接続されているので、コンバイナ１２とアクティブモジュール１３は、独立的にメンテナンスされ得る。つまり、コンバイナ１２またはアクティブモジュール１３はメンテナンスのために独立して取外すことができ、サイトのメンテナンス工程におけるコストを低減し得る。
【手続補正５】
【補正対象書類名】明細書
【補正対象項目名】００２１
【補正方法】変更
【補正の内容】
【００２１】
図２は、本発明の一つの実施例に従った、別のマルチバンドアクティブアンテナの模式的な構造的ダイヤグラムである。図２に示されるように、マルチバンドアクティブアンテナは、ブロードバンドアンテナ２１、コンバイナ２２、第１アクティブモジュール２３、および、第２アクティブモジュール２４を含んでいる。
ここでは、くぼんだ形状のウィンドウがブロードバンドアンテナ２１の筐体フレーム上に配置されており、ブロードバンドアンテナ２１の第１ポートがウィンドウの中に配置されている。コンバイナ２２は、取外し可能にウィンドウに接続されており、コンバイナ２２の第１ポートがブロードバンドアンテナ２１の第１ポートに接続されている。第１取付けキットと第２取付けキットがブロードバンドアンテナ２１の筐体フレーム上に配置されており、アンテナポート２１１がブロードバンドアンテナ２１の外部表面上に配置されている。そして、中間ポートがブロードバンドアンテナ２１のウィンドウの中に配置されている。第１アクティブモジュール２３が第１取付けキットに取外し可能に接続されており、かつ、第２アクティブモジュール２４が第２取付けキットに取外し可能に接続されている。そして、第１アクティブモジュール２３の第１ポート２３１がコンバイナ２２の第２ポート２２１に接続され、かつ、第２アクティブモジュール２４の第１ポート２４１がアンテナポート２１１に導線によって接続されている。ここで、アンテナポート２１１は中間ポートに導線によって接続されており、ここで、中間ポートはコンバイナ２２の第３ポートに接続されている。
【手続補正６】
【補正対象書類名】明細書
【補正対象項目名】００３５
【補正方法】変更
【補正の内容】
【００３５】
任意的に、図４に示されるように、ウィンドウがブロードバンドアンテナ２１の筐体の後側の中間位置に配置されてよい。第１取付けキットが筐体フレームの後側の上半分に配置されてよく、そして、コンバイナ２２の第２ポート２２１がコンバイナの前側の上半分に配置されてよい。このようにして、第１取付けキットに接続された第１アクティブモジュール２３の第１ポート２３１が、コンバイナ２２の第２ポート２２１に容易に接続される。第２サブ取付けキットが、筐体フレームの後側の下半分に配置されてよく、そして、アンテナポート２１１が、筐体フレームの後側の底部に配置されてよい。このようにして、第２サブ取付けキットに接続された第２アクティブサブモジュール２４の第１ポート２４１が、アンテナポート２１１に容易に接続される。コンバイナ２２の第４ポート２２は、コンバイナの前側の下半分に配置されてよい。このようにして、第３アクティブモジュール２５の第１ポート２５１が、コンバイナ２２の第４ポート２２２に容易に接続される。
【手続補正７】
【補正対象書類名】明細書
【補正対象項目名】００３９
【補正方法】変更
【補正の内容】
【００３９】
ブロードバンドアンテナ２１がシングルアレイ高周波アンテナである場合に、シングルアレイ高周波アンテナの第１ポートのインターフェイスの数量は２である。図５に示されるように、これらのポートのインターフェイスの数量は２である。コンバイナ２２の第２ポート２２１のインターフェイスの数量は２であり、ブロードバンドアンテナ２１のアンテナポート２１１のインターフェイスの数量は２であり、第１アクティブモジュール２３の第１ポート２３１２のインターフェイスの数量は２であり、そして、第２アクティブモジュール２４の第１ポート２４１のインターフェイスの数量は２である。確実に、中間ポート、コンバイナ２２の第３ポート、および、コンバイナ２２の第１ポートのインターフェイスの数量は、全て２である。同様に、ブロードバンドアンテナ２１がシングルアレイ低周波アンテナまたはマルチアレイアンテナである場合に、これらのポートのインターフェイスの数量を得ることができる。ここにおいては、さらに詳しく説明されない。
【国際調査報告】
2016518757.tif 000008
2016518757.tif 000009
2016518757.tif 000010
2016518757.tif 000011
2016518757.tif 000012
2016518757.tif 000013